(57)【要約】【課題】遊技球が進入口に進入しやすいと感じさせることのできる遊技機を提供する。【解決手段】遊技を行うことが可能な遊技機である。遊技機は、移動する遊技球が進入可能な前後方向に長さを有する進入口２２０が形成された遊技球受部２００と、進入口２２０に対応して設けられ、間を通過した遊技球を進入口２２０に進入可能とする対の障害部２１１、２１２と、を備える。進入口２２０の幅は、後方から前方に向けて徐々に狭くなっている。遊技球受部２００は、遊技機に取り付けるため取付部２１０と一体的に形成されている。【選択図】図３
2018139836.tif 000002
【特許請求の範囲】
【請求項１】
遊技を行うことが可能な遊技機であって、
移動する遊技球が進入可能な前後方向に長さを有する進入口が形成された遊技球受部と、
前記進入口に対応して設けられ、間を通過した遊技球を該進入口に進入可能とする対の障害部と、を備え、
前記進入口の幅は、後方から前方に向けて徐々に狭くなっていることを特徴とする遊技機。
【発明の詳細な説明】
【技術分野】
【０００１】
本発明は、遊技を行うことが可能な遊技機に関する。
【背景技術】
【０００２】
パチンコ遊技機等の遊技機においては、発射された遊技球が進入することで賞球を得ることが可能な複数の進入口が形成されたものが存在する。これらの進入口に遊技球が進入するか否かは、遊技者が遊技機を選択する際の１つの判断材料となる。
【０００３】
例えば特許文献１は、遊技球が進入口に進入し易いと感じさせるために、進入口の前方を覆う前面板の幅を、進入口の一部を区画する対の側壁の幅よりも大きくした遊技機が開示されている。
【先行技術文献】
【特許文献】
【０００４】
【特許文献１】特開２０１３−２４４３２９号公報
【発明の概要】
【発明が解決しようとする課題】
【０００５】
しかしながら、パチンコ遊技機のデザインの都合上、前面板の幅を十分に広くとれない場合もある。この場合、遊技球が進入口に進入しやすいと感じさせることが困難となる。
【０００６】
本発明は、このような問題点に着目してなされたもので、遊技球が進入口に進入しやすいと感じさせることのできる遊技機を提供することを目的とする。
【課題を解決するための手段】
【０００７】
（１）上記目的を達成するため、本願の第１の観点に係る遊技機は、遊技を行うことが可能な遊技機（例えば、パチンコ遊技機１）であって、移動する遊技球が進入可能な前後方向に長さを有する進入口（例えば、第１始動入賞口２２０）が形成された遊技球受部（例えば、普通入賞球装置２００）と、前記進入口に対応して設けられ、間を通過した遊技球を該進入口に進入可能とする対の障害部（例えば、第１障害釘２１１及び第２障害釘２１２）と、を備え、前記進入口の幅は、後方から前方に向けて徐々に狭くなっている（例えば、図３に示すように、側壁２００ｂと側壁２００ｃとの後方における隙間Ｗ１と、前方における隙間Ｗ２とを比較すると、隙間Ｗ１が隙間Ｗ２よりも広い）ことを特徴とする。
【０００８】
このような構成によれば、前方に向けて徐々に狭くなった進入口と、この進入口に対応して設けられた対の障害部とを同時に視認させて、両者を対比させることで、対の障害部が前方に向けて広がっているかのように感じさせることができる。これにより、遊技球を、対の障害部の間に通過させやすく、遊技球受部に形成された進入口に進入させやすいと感じさせることのできる遊技機を提供することができる。
【０００９】
（２）上記（１）の遊技機において、前記遊技球受部は、前記進入口の幅を規定する対の側壁（例えば、側壁２３０ｂ及び側壁２３０ｃ）を有し、前記対の側壁のそれぞれの厚みは、後方から前方に向けて徐々に薄くなっている（例えば、図４に示すように、側壁２３０ｂ、２３０ｃの後方側の厚みＷ３は、前方側の厚みＷ４よりも厚い）ことを特徴とする。
【００１０】
このような構成によれば、前方に向けて厚みが徐々に薄くなる対の側壁により幅が規定された進入口と、この進入口に対応して設けられた対の障害部とを同時に視認させて、両者を対比させることで、対の障害部が前方に向けて広がっているかのように感じさせることができる。これにより、遊技球を、対の障害部の間に通過させやすく、遊技球受部に形成された進入口に進入させやすいと感じさせることのできる遊技機を提供することができる。
【００１１】
（３）上記（２）の遊技機において、前記対の側壁が並んだ方向において、前記対の障害部の取付位置は、該対の側壁の取付位置間にある（例えば、図５に示すように、第１障害釘２１３及び第２障害釘２１４の取付位置Ｐ１、Ｐ２は、側壁２５０ｂ及び側壁２５０ｃの取付位置Ｐ３、Ｐ４の間に位置している）ことを特徴とする。
【００１２】
このような構成によれば、遊技球の遊技球受部に形成された進入口への進入のし易さを一定以上確保するために、対の障害物を前方に向かうにつれて互いの間隔を広げて配置しようとする動機づけとすることができる。これにより、前方に向けて間隔を広げられた対の障害物の間に遊技球を通過させやすく、遊技球受部に形成された進入口に遊技球を進入させやすいと感じさせることのできる遊技機を提供することができる。
【００１３】
（４）上記（１）〜（３）のいずれかの遊技機において、前記遊技球受部は、前記遊技機に取り付けるための取付部と一体的に形成されている（例えば、図３に示すように、普通入賞球装置２００と取付板２１０とが一体的に形成されている）ことを特徴とする。
【００１４】
このような構成によれば、遊技機に発生する不具合を、適切に解消することができる。
【００１５】
（５）上記（１）〜（４）のいずれかの遊技機において、前記遊技球受部は、前方から後方に向けて下方に傾斜している（例えば、図４（ｃ）に示すように、普通入賞球装置２３０は、後方に向けて下方に傾斜している）ことを特徴とする。
【００１６】
このような構成によれば、進入口に進入した遊技球をスムーズに流下させることができる。
【００１７】
（６）上記（２）〜（５）のいずれかの遊技機において、前記遊技球受部は、前記対の側壁を接続する前壁（例えば、前壁２３０ｄ）及び底壁（例えば、底壁２３０ａ）をさらに有し、前記遊技球受部には、前記前壁と前記底壁とを接続し、前記進入口に進入した遊技球を移動方向に導くリブ（例えば、リブ２３１）が形成されていることを特徴とする。
【００１８】
このような構成によれば、進入口に進入した遊技球をスムーズに流下させることができる。
【００１９】
（７）上記（６）の遊技機において、前記底壁は、下方に向けて湾曲している（例えば、図５に示すように、底壁２５０ａは下方に向けて湾曲している）ことを特徴とする。
【００２０】
このような構成によれば、遊技球が流下することによる遊技球受部の損傷を抑制することできる。
【００２１】
（８）上記（６）又は（７）の遊技機において、前記前壁は、前方に向けて湾曲している（例えば、図３に示すように、前壁２００ｄは前方に向けて湾曲している）ことを特徴とする。
【００２２】
このような構成によれば、遊技球が流下することによる遊技球受部の損傷を抑制することができる。
【００２３】
（９）上記（６）〜（８）のいずれかの遊技機において、前記前壁は、前記遊技球受部の取付面に対して平行である（例えば、図４に示すように、前壁２３０ｄは、遊技盤２に対して平行である）ことを特徴とする。
【００２４】
このような構成によれば、流下する遊技球をスムーズに進入口に進入させることができる。
【００２５】
（１０）上記（１）〜（９）のいずれかの遊技機において、前記遊技球受部は、合成樹脂製であることを特徴とする。
【００２６】
このような構成によれば、遊技球が衝突した際の衝撃を抑制することができる。
【００２７】
（１１）上記（１）〜（１０）のいずれかの遊技機において、前記遊技球受部には、前記進入口とは異なる遊技球の進入口がさらに形成されている（例えば、図６に示すように、普通入賞球装置２７０と普通可変入賞球装置３００とが一体的に形成された遊技球受部において、第１始動入賞口２８０と、第２始動入賞口３０１ａ、３０１ｂとが形成されている）ことを特徴とする。
【００２８】
このような構成によれば、複数の進入口を効率的に配置することができる。
【００２９】
（１２）上記（１）〜（１１）のいずれかの遊技機において、前記対の障害部は、可動する（例えば、図７に示すように、第１可動体３１０及び第２可動体３１１は可動する）ことを特徴とする。
【００３０】
このような構成によれば、遊技球が進入口に進入する可能性を変化させることができ、遊技の興趣を高めることができる。
【００３１】
（１３）上記（１）〜（１２）のいずれかの遊技機において、前記遊技球受部は、可動する（例えば、図８に示すように、普通入賞球装置３２０は可動する）ことを特徴とする。
【００３２】
このような構成によれば、遊技球が進入口に進入する可能性を変化させることができ、遊技の興趣を高めることができる。
【００３３】
（１４）上記目的を達成するため、本願の第２の観点に係る遊技機は、  遊技を行うことが可能な遊技機（例えば、パチンコ遊技機１）であって、移動する遊技球が進入可能な前後方向に長さを有する進入口（例えば、第１始動入賞口２４０）が形成された遊技球受部（例えば、普通入賞球装置２３０）と、前記進入口に対応して設けられ、間を通過した遊技球を該進入口に進入可能とする対の障害部（例えば、第１障害釘２１１及び第２障害釘２１２）と、を備え、前記遊技球受部は、前記進入口の幅を規定する対の側壁（例えば、側壁２３０ｂ及び側壁２３０ｃ）を有し、前記対の側壁のそれぞれの厚みは、後方から前方に向けて徐々に薄くなっている（例えば、図４に示すように、側壁２３０ｂ、２３０ｃの後方側の厚みＷ３は、前方側の厚みＷ４よりも厚い）ことを特徴とする。
【００３４】
このような構成によれば、前方に向けて厚みが徐々に薄くなる対の側壁により幅が規定された進入口と、この進入口に対応して設けられた対の障害部とを同時に視認させて、両者を対比させることで、対の障害部が前方に向けて広がっているかのように感じさせることができる。これにより、遊技球を、対の障害部の間に通過させやすく、遊技球受部に形成された進入口に進入させやすいと感じさせることのできる遊技機を提供することができる。
【００３５】
（１５）上記目的を達成するため、本願の第３の観点に係る遊技機は、遊技を行うことが可能な遊技機（例えば、パチンコ遊技機１）であって、移動する遊技球が進入可能な前後方向に長さを有する進入口（例えば、第１始動入賞口２６０）が形成された遊技球受部（例えば、普通入賞球装置２５０）と、前記進入口に対応して設けられ、間を通過した遊技球を該進入口に進入可能とする対の障害部（例えば、第１障害釘２１１及び第２障害釘２１２）と、を備え、前記遊技球受部は、前記進入口の幅を規定する対の側壁（例えば、側壁２５０ｂ及び側壁２５０ｃ）を有し、前記対の側壁が並んだ方向において、前記対の障害部の取付位置は、該対の側壁の間に位置している（例えば、図５に示すように、第１障害釘２１３及び第２障害釘２１４の取付位置Ｐ１、Ｐ２は、側壁２５０ｂ及び側壁２５０ｃの取付位置Ｐ３、Ｐ４の間に位置している）ことを特徴とする。
【００３６】
このような構成によれば、遊技球の遊技球受部に形成された進入口への進入のし易さを一定以上確保するために、対の障害物を前方に向かうにつれて互いの間隔を広げて配置しようとする動機づけとすることができる。これにより、前方に向けて間隔を広げられた対の障害物の間に遊技球を通過させやすく、遊技球受部に形成された進入口に遊技球を進入させやすいと感じさせることのできる遊技機を提供することができる。
【図面の簡単な説明】
【００３７】
【図１】本発明の実施形態に係る遊技機の正面図。
【図２】本発明の実施形態に係る遊技機に搭載された各種の制御基板などを示す構成図。
【図３】本発明の第１実施の形態に係る遊技機に設けられた普通入賞球装置及びその近傍に着目した図であり、（ａ）は図１中の“ＩＩＩＡ部”の拡大図、（ｂ）は（ａ）中の矢印Ｂからみた図、（ｃ）は（ａ）中の矢印Ｃからみた図。
【図４】本発明の第２実施の形態に係る遊技機に設けられた普通入賞球装置及びその近傍に着目した図であり、（ａ）は正面図、（ｂ）は（ａ）中の矢印Ｂからみた図、（ｃ）は（ａ）中の矢印Ｃからみた図。
【図５】本発明の第３実施の形態に係る遊技機に設けられた普通入賞球装置及びその近傍に着目した図であり、（ａ）は正面図、（ｂ）は（ａ）中の矢印Ｂからみた図、（ｃ）は（ａ）中の矢印Ｃからみた図。
【図６】本発明の第４実施の形態に係る遊技機に設けられた普通入賞球装置及びその近傍に着目した図であり、（ａ）は正面図、（ｂ）は（ａ）中の矢印Ｂからみた図。
【図７】本発明の第５実施の形態に係る遊技機に設けられた普通入賞球装置及びその近傍に着目した図であり、（ａ）は正面図、（ｂ）は（ａ）中の矢印Ｂからみた図。
【図８】本発明の第６実施の形態に係る遊技機に設けられた普通入賞球装置及びその近傍に着目した図であり、（ａ）は正面図、（ｂ）は（ａ）中の矢印Ｂからみた図。
【発明を実施するための形態】
【００３８】
以下、図面を参照しつつ、本発明の一実施形態を詳細に説明する。図１は、本実施の形態におけるパチンコ遊技機の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、ガイドレールによって囲まれた、ほぼ円形状の遊技領域１０が形成されている。この遊技領域１０には、遊技媒体としての遊技球が、所定の打球発射装置から発射されて打ち込まれる。
【００３９】
遊技領域の内部または外部といった遊技盤２の所定位置には、第１特別図柄表示装置４Ａ、第２特別図柄表示装置４Ｂ、画像表示装置５、普通入賞球装置２００、普通可変入賞球装置３００、特別可変入賞球装置７、普通図柄表示器２０、第１保留表示器２５Ａ、第２保留表示器２５Ｂ、普図保留表示器２５Ｃ、通過ゲート４１などが設けられている。遊技機用枠３の左右上部位置には、効果音等を再生出力可能なスピーカ８Ｌ、８Ｒが設けられ、遊技領域周辺部には遊技効果ランプ９が設けられている。遊技機用枠３の右下部位置には、遊技媒体としての遊技球を遊技領域に向けて発射するために遊技者等によって操作される打球操作ハンドル（操作ノブ）が設けられ、打球操作ハンドルの操作量（回転量）に応じて遊技球の弾発力が調整される。遊技領域の下方における遊技機用枠３の所定位置には、遊技球を保持（貯留）する上皿（打球供給皿）と、上皿からの余剰球などを保持（貯留）する下皿が設けられている。下皿を形成する部材にはスティックコントローラ３１Ａが取り付けられ、上皿を形成する部材にはプッシュボタン３１Ｂが設けられている。
【００４０】
第１特別図柄表示装置４Ａ、第２特別図柄表示装置４Ｂ、画像表示装置５の画面上などでは、特別図柄や飾り図柄の可変表示が行われる。これらの可変表示は、普通入賞球装置２００に形成された第１始動入賞口を遊技球が通過（進入）したことによる第１始動入賞の発生に基づいて、あるいは、普通可変入賞球装置３００に形成された第２始動入賞口を遊技球が通過（進入）したことによる第２始動入賞の発生に基づいて、実行可能となる。第１特別図柄表示装置４Ａと第２特別図柄表示装置４Ｂはそれぞれ、例えば７セグメントやドットマトリクスのＬＥＤ（発光ダイオード）等から構成され、可変表示ゲームの一例となる特図ゲームにおいて、識別情報（特別識別情報）である特別図柄（「特図」ともいう）が、変動可能に表示（可変表示）される。画像表示装置５は、例えばＬＣＤ（液晶表示装置）等から構成され、各種の演出画像を表示する表示領域を形成している。画像表示装置５の画面上では、特図ゲームにおける第１特別図柄表示装置４Ａによる特別図柄（「第１特図」ともいう）の可変表示や第２特別図柄表示装置４Ｂによる特別図柄（「第２特図」ともいう）の可変表示のそれぞれに対応して、例えば３つといった複数の可変表示部となる飾り図柄表示エリアにて、識別情報（装飾識別情報）である飾り図柄が可変表示される。この飾り図柄の可変表示も、可変表示ゲームに含まれる。
【００４１】
一例として、画像表示装置５の画面上には、「左」、「中」、「右」の飾り図柄表示エリア５Ｌ、５Ｃ、５Ｒが配置されている。そして、特図ゲームにおいて第１特別図柄表示装置４Ａにおける第１特図の変動と第２特別図柄表示装置４Ｂにおける第２特図の変動のうち、いずれかが開始されることに対応して、「左」、「中」、「右」の各飾り図柄表示エリア５Ｌ、５Ｃ、５Ｒにおいて飾り図柄の変動（例えば上下方向のスクロール表示）が開始される。その後、特図ゲームにおける可変表示の表示結果として確定特別図柄が停止表示されるときに、画像表示装置５における「左」、「中」、「右」の各飾り図柄表示エリア５Ｌ、５Ｃ、５Ｒにて、飾り図柄の可変表示の表示結果となる確定飾り図柄（最終停止図柄）が停止表示される。特別図柄や飾り図柄の可変表示における表示結果は、可変表示結果ともいう。特に、特図ゲームにおける特別図柄の可変表示結果は、特図表示結果ともいう。このように、画像表示装置５の画面上では、第１特別図柄表示装置４Ａにおける第１特図を用いた特図ゲーム、または、第２特別図柄表示装置４Ｂにおける第２特図を用いた特図ゲームと同期して、各々が識別可能な複数種類の飾り図柄の可変表示を行い、可変表示結果となる確定飾り図柄を導出表示（あるいは単に「導出」ともいう）する。なお、例えば特別図柄や飾り図柄といった、各種の表示図柄を導出表示するとは、飾り図柄等の識別情報を停止表示（完全停止表示や最終停止表示ともいう）して可変表示を終了させることである。
【００４２】
画像表示装置５の画面上には、第１保留表示部５ＨＬと、第２保留表示部５ＨＢとが設けられている。第１保留表示部５ＨＬおよび第２保留表示部５ＨＢは、画像表示装置５において、未だ開始されていない可変表示に対応する保留表示を行うための表示部である。第１保留表示部５ＨＬは、第１特図保留記憶数を特定可能に表示する。第１特図保留記憶数は、第１特別図柄表示装置４Ａにおける第１特図を用いた特図ゲームに対応する可変表示の保留数である。第２保留表示部５ＨＢは、第２特図保留記憶数を特定可能に表示する。第２特図保留記憶数は、第２特別図柄表示装置４Ｂにおける第２特図を用いた特図ゲームに対応する可変表示の保留数である。特図ゲームに対応した可変表示の保留は、第１始動入賞や第２始動入賞の発生に基づいて行われる。すなわち、特図ゲームや飾り図柄の可変表示といった可変表示ゲームを実行するための始動条件（「実行条件」ともいう）は成立したが、先に成立した開始条件に基づく可変表示ゲームが実行中であることやパチンコ遊技機１が大当り遊技状態に制御されていることなどにより、可変表示ゲームの開始を許容する開始条件が成立していないときに、成立した始動条件に対応して未だ開始されていない可変表示の保留が行われる。第１始動入賞が発生したときに、第１特図を用いた特図ゲームを開始できなければ、第１特図保留記憶数が１加算（インクリメント）され、第１特図を用いた特図ゲームの実行が保留される。第２始動入賞が発生したときに、第２特図を用いた特図ゲームを開始できなければ、第２特図保留記憶数が１加算（インクリメント）され、第２特図を用いた特図ゲームの実行が保留される。これに対して、第１特図を用いた特図ゲームの実行が開始されるときには、第１特図保留記憶数が１減算（デクリメント）され、第２特図を用いた特図ゲームの実行が開始されるときには、第２特図保留記憶数が１減算（デクリメント）される。なお、第１始動入賞が発生したときに、第１特図保留記憶数が所定の上限値（例えば「４」）に達していれば、その始動入賞に基づく特図ゲームは無効とされ、賞球の払出しのみが行われてもよい。また、第２始動入賞が発生したときに、第２特図保留記憶数が所定の上限値（例えば「４」）に達していれば、その始動入賞に基づく特図ゲームは無効とされ、賞球の払出しのみが行われてもよい。特図ゲームが開始されることによる保留記憶数（第１特図保留記憶数または第２特図保留記憶数）の減少は、保留の消化とも称される。
【００４３】
第１保留表示部５ＨＬでは、第１特図を用いた特図ゲームの保留記憶に対応する保留表示が行われる。第２保留表示部５ＨＢでは、第２特図を用いた特図ゲームの保留記憶に対応する保留表示が行われる。第１保留表示部５ＨＬは、例えば左詰めで第１保留表示が行われるように構成されていればよい。第１保留表示部５ＨＬには、例えば第１特図保留記憶数の上限値が「４」である場合に、その上限値にあわせた４つの表示部位が設けられ、左端から順に保留番号「１」、「２」、「３」、「４」と対応付けられていればよい。第２保留表示部５ＨＢは、例えば左詰めで第２保留表示が行われるように構成されていればよい。第２保留表示部５ＨＢには、例えば第２特図保留記憶数の上限値が「４」である場合に、その上限値にあわせた４つの表示部位が設けられ、左端から順に保留番号「１」、「２」、「３」、「４」と対応付けられていればよい。
【００４４】
パチンコ遊技機１には、例えば図２に示すような主基板１１、演出制御基板１２、音声制御基板１３、ランプ制御基板１４といった、各種の制御基板が搭載されている。また、パチンコ遊技機１には、主基板１１と演出制御基板１２との間で伝送される各種の制御信号を中継するための中継基板１５なども搭載されている。その他にも、パチンコ遊技機１における遊技盤などの背面には、例えば払出制御基板、情報端子基板、発射制御基板、インタフェース基板、タッチセンサ基板などといった、各種の基板が配置されている。
【００４５】
主基板１１は、メイン側の制御基板であり、パチンコ遊技機１における遊技の進行を制御するための各種回路が搭載されている。
【００４６】
演出制御基板１２は、主基板１１とは独立したサブ側の制御基板であり、中継基板１５を介して主基板１１から伝送された制御信号の受信に基づいて、画像表示装置５、スピーカ８Ｌ、８Ｒ及び遊技効果ランプ９や装飾用ＬＥＤといった演出用の電気部品による演出動作を制御するための各種回路が搭載されている。
【００４７】
図２に示すように、主基板１１には、ゲートスイッチ２１、始動口スイッチ（第１始動口スイッチ２２Ａおよび第２始動口スイッチ２２Ｂ）、カウントスイッチ２３といった、各種スイッチからの検出信号を伝送する配線が接続されている。なお、各種スイッチは、例えばセンサと称されるものなどのように、遊技媒体としての遊技球を検出できる任意の構成を有するものであればよい。また、主基板１１には、第１特別図柄表示装置４Ａ、第２特別図柄表示装置４Ｂ、普通図柄表示器２０などの表示制御を行うための指令信号を伝送する配線が接続されている。ゲートスイッチ２１は、通過ゲート４１を通過した遊技球（ゲート通過球）を検出する。ゲートスイッチ２１によるゲート通過球の検出に基づいて、普通図柄表示器２０による普通図柄の可変表示が実行可能となる。第１始動口スイッチ２２Ａは、第１始動入賞口を通過（進入）した遊技球を検出する。第２始動口スイッチ２３Ａは、第２始動入賞口を通過（進入）した遊技球を検出する。カウントスイッチ２３は、特別可変入賞球装置７に形成された大入賞口を通過（進入）した遊技球を検出する。第１始動入賞口や第２始動入賞口、大入賞口といった、各種の入賞口を通過した遊技球が検出された場合には、それぞれの入賞口に対応して予め個数が定められた賞球としての遊技球が払い出される。
【００４８】
主基板１１から演出制御基板１２に向けて伝送される制御信号は、中継基板１５によって中継される。中継基板１５を介して主基板１１から演出制御基板１２に対して伝送される制御コマンドは、例えば電気信号として送受信される演出制御コマンドである。
【００４９】
主基板１１に搭載された遊技制御用マイクロコンピュータ１００は、例えば１チップのマイクロコンピュータであり、遊技制御用のプログラムや固定データ等を記憶するＲＯＭ１０１と、遊技制御用のワークエリアを提供するＲＡＭ１０２と、遊技制御用のプログラムを実行して制御動作を行うＣＰＵ１０３と、ＣＰＵ１０３とは独立して乱数値を示す数値データの更新を行う乱数回路１０４と、Ｉ／Ｏ（Input/Output port）１０５とを備えて構成される。
【００５０】
演出制御基板１２に搭載された演出制御用ＣＰＵ１２０は、ＲＯＭ１２１から読み出した演出制御用のプログラムや固定データ等を用いて、演出用の電気部品による演出動作を制御するための処理を実行する。
【００５１】
演出制御基板１２に搭載された表示制御部１２３は、演出制御用ＣＰＵ１２０からの表示制御指令などに基づき、画像表示装置５における表示動作の制御内容を決定する。
【００５２】
パチンコ遊技機１においては、遊技媒体としての遊技球を用いた所定の遊技が行われ、その遊技結果に基づいて所定の遊技価値が付与可能となる。遊技球を用いた遊技の一例として、パチンコ遊技機１における筐体前面の右下方に設置された打球操作ハンドルが遊技者によって所定操作（例えば回転操作）されたことに基づいて、所定の打球発射装置が備える発射モータなどにより、遊技媒体としての遊技球が遊技領域に向けて発射される。遊技領域を流下した遊技球が、各種の入賞口を通過（進入）した場合に、賞球としての遊技球が払い出される。特別図柄や飾り図柄の可変表示結果が「大当り」となった場合には、大入賞口が開放されて遊技球が通過（進入）しやすい状態となることで、遊技者にとって有利な有利状態としての大当り遊技状態となる。
【００５３】
次に、各種の入賞口の１つである第１始動入賞口２２０が形成された普通入賞球装置２００とその近傍の構成について説明する。図３は、本発明の第１実施の形態に係る遊技機に設けられた普通入賞球装置及びその近傍に着目した図であり、（ａ）は図１中の“ＩＩＩＡ部”の拡大図、（ｂ）は（ａ）中の矢印Ｂからみた図、（ｃ）は（ａ）中の矢印Ｃからみた図である。
【００５４】
普通入賞球装置２００は、取付板２１０を介して遊技盤２に取り付けられている。普通入賞球装置２００は、前方に突出して形成されており、遊技領域を流下する遊技球が進入可能な第１始動入賞口２２０が形成されている。普通入賞球装置２００の上方には、第１障害釘２１１及び第２障害釘２１２が配置されている。第１障害釘２１１及び第２障害釘２１２は、遊技球が通過することが可能な間隔をあけて、互いに平行あるいは略平行に遊技盤２に植設されている。このように植設された第１障害釘２１１及び第２障害釘２１２に、遊技領域を流下する遊技球が衝突することで、流下する遊技球の勢いを低減することができる。これにより、第１障害釘２１１と第２障害釘２１２との間を通過した遊技球を、第１始動入賞口２２０にスムーズに進入させやすくすることができる。
【００５５】
普通入賞球装置２００は、例えば合成樹脂製で、底壁２００ａと、底壁２００ａから上方に立設した対の側壁２００ｂ及び側壁２００ｃと、底壁２００ａから上方に立設して側壁２００ｂと側壁２００ｃとを接続する前壁２００ｄと、を有している。図３（ｂ）に示すように、第１始動入賞口２２０は、対の側壁２００ｂ及び側壁２００ｃと、前壁２００ｄと、取付板２１０とで区画された、前後方向に長さを有する上方を向いた開口である。
【００５６】
側壁２００ｂ及び側壁２００ｃは、左右方向に並んで、後方から前方に向けて徐々に互いの間隔が狭くなるように配置されている。このように、側壁２００ｂ及び側壁２００ｃは、いわゆる「ハ」の字状に配置され、後方における両側壁の内法である隙間Ｗ１と、前方における両側壁の内法である隙間Ｗ２とを比較すると、隙間Ｗ１が隙間Ｗ２よりも広い。そのため、普通入賞球装置２００に形成された第１始動入賞口２２０は、後方から前方に向けて幅が狭くなっている。
【００５７】
前壁２００ｄは、普通入賞球装置２００の前部を構成している。図３（ｂ）に示すように、前壁２００ｄは、上方からみると前方に膨らんだ湾曲した形状に形成されている。一方、図３（ｃ）に示すように、前壁２００ｄは、側方からみると、平坦な形状に形成されている。
【００５８】
底壁２００ａは、普通入賞球装置２００の下部を構成し、第１始動入賞口２２０に進入した遊技球を下方から受け止める。底壁２００ａは、受け止めた遊技球を、後方へと導く。
【００５９】
取付板２１０は、例えば矩形状の平板であり、２つのビス２１０ａにより遊技盤２に取り付けられている。普通入賞球装置２００は、取付板２１０に固定されており、取付板２１０を介して遊技盤２に取り付けられている。図３（ｃ）に示すように、取付板２１０には、第１始動入賞口２２０に進入した遊技球を、後方に導く遊技球通過孔２１０ｂが形成されている。また、遊技盤２には、遊技球通過孔２１０ｂに対応する位置に、遊技球通過孔２ａが形成されている。これにより、第１始動入賞口２２０に進入して底壁２００ａに受け止められた遊技球は、遊技球通過孔２１０ｂ及び遊技球通過孔２ａを通過し、遊技盤２の後方に設けられた第１始動口スイッチ２２Ａ（図２）によって検出される。
【００６０】
以上説明したように、本発明の第１実施形態に係る遊技機においては、普通入賞球装置２００の側壁２００ｂ及び側壁２００ｃは、左右方向に並んで、後方から前方に向けて徐々に互いの間隔が狭くなるように配置されている。そのため、普通入賞球装置２００に形成された第１始動入賞口２２０は、後方から前方に向けて幅が狭くなっている。遊技者は、前方に向けて幅が狭くなった第１始動入賞口２２０と、その直上に平行に植設された第１障害釘２１１及び第２障害釘２１２とを同時に視認することができる。そのため、遊技者は、これらを同時に視認するだけで、前方に向けて幅が狭くなった第１始動入賞口２２０と、第１障害釘２１１と第２障害釘２１２との隙間とを対比することができる。これにより、平行に植設された第１障害釘２１１及び第２障害釘２１２が、前方に向かうにつれ広がっているように見せることができる。これにより、第１障害釘２１１と第２障害釘２１２との間に遊技球を通過させやすい、第１始動入賞口２２０に遊技球を進入させやすい遊技機であると遊技者に感じさせることができる。
【００６１】
また、普通入賞球装置２００の前壁２００ｄが、前方に向けて膨らんだ湾曲した形状に形成されていることにより、遊技球が前壁２００ｄに衝突して、上方に跳ね返るという現象を抑制することができる。これにより、遊技球を第１始動入賞口２２０にスムーズに進入させることができる。
【００６２】
また、普通入賞球装置２００を合成樹脂製としていることにより、遊技球が衝突した際の衝撃を和らげることができる。これにより、普通入賞球装置２００が破損する等の不具合が生じることを抑制することができる。
【００６３】
また、普通入賞球装置２００を取付板２１０に固定し、両者を一体的に取り扱うことを可能としているため、普通入賞球装置２００に破損等の不具合が生じたとしても、容易に交換することができる。そのため、遊技機のメンテナンスを適切に実行することが容易となる。
【００６４】
この発明は、上記実施の形態に限定されず、様々な変形及び応用が可能である。上記実施の形態においては、普通入賞球装置２００は、取付板２１０に固定されているものであると説明した。しかしながら、普通入賞球装置２００と取付板２１０を同材料から構成し、両者を一体成型するようにしてもよい。
【００６５】
また、第１障害釘２１１及び第２障害釘２１２は、互いに平行となるように植設されていると説明したが、他の植設態様であってもよい。例えば、前方に向けて間隔が広がる「ハ」の字状であったり、後方に向けて間隔が広がる逆「ハ」の字状であったりしてもよい。
【００６６】
また、図４は、本発明の第２実施の形態に係る遊技機に設けられた普通入賞球装置及びその近傍に着目した図であり、（ａ）は正面図、（ｂ）は（ａ）中の矢印Ｂからみた図、（ｃ）は（ａ）中の矢印Ｃからみた図である。なお、図４においては、図３に示す構成と同様の構成については、同一の符号を付すものとし、以下ではこれらの説明は適宜省略するものとする。
【００６７】
普通入賞球装置２３０は、上記実施形態とは異なり取付板を介さずに遊技盤２に直接取り付けられている。普通入賞球装置２３０の上方には、遊技盤２に植設された第１障害釘２１１及び第２障害釘２１２が配置されている。
【００６８】
普通入賞球装置２３０は、例えば合成樹脂製で、底壁２３０ａと、底壁２３０ａから上方に立設した対の側壁２３０ｂ及び側壁２３０ｃと、底壁２３０ａから上方に立設して側壁２３０ｂと側壁２３０ｃとを接続する前壁２３０ｄと、を有している。図４（ｂ）に示すように、第１始動入賞口２４０は、対の側壁２３０ｂ及び側壁２３０ｃと、前壁２３０ｄと、遊技盤２とで区画された、前後方向に長さを有する上方を向いた矩形状の開口である。
【００６９】
側壁２３０ｂ及び側壁２３０ｃは、左右方向に並んで配置された、平行四辺形状の平板から構成されている。図４（ｃ）に示すように、側壁２３０ｂ及び側壁２３０ｃは、その後面を遊技盤２に接触させているため、上面及び下面が後方に向けて下方に傾斜している。また、側壁２３０ｂ及び２３０ｃの壁厚は、後方から前方に向けて徐々に薄くなっており、側壁２３０ｃの後方側の厚みＷ３は、前方側の厚みＷ４よりも厚い。側壁２３０ｂにおいても、後方側の厚みと前方側の厚みとは、側壁２３０ｃと同様の関係にある。側壁２３０ｂ及び側壁２３０ｃは、第１始動入賞口２４０を区画する面（内側の面）が互いに平行になるように配置されている。そのため、側壁２３０ｂ及び側壁２３０ｃの壁厚の変化により、側壁２３０ｂの外側の面と側壁２３０ｃの外側の面とは、前方に向かうにつれて徐々に近づく。
【００７０】
前壁２３０ｄは、矩形状の平板から構成されており、普通入賞球装置２３０の前部を構成している。
【００７１】
底壁２３０ａは、普通入賞球装置２３０の下部を構成し、第１始動入賞口２４０に進入した遊技球を下方から受け止める。底壁２３０ａは、側壁２３０ｂ及び側壁２３０ｃの下面に沿うように取り付けられているため、後方に向けて下方に傾斜している。これにより底壁２３０ａは、第１始動入賞口２４０に進入した遊技球を受け止めて、遊技盤２に形成された遊技球通過孔２ａに向けて流下させる。
【００７２】
また、底壁２３０ａと前壁２３０ｄとの交差部には、底壁２３０ａの内面と前壁２３０ｄの内面とになだらかに接続する曲面２３１ａを有する２つのリブ２３１が形成されている。リブ２３１は、前壁２３０ｄの内面と底壁２３０ａの内面と固定されている。
【００７３】
以上説明したように、本発明の第２実施形態に係る遊技機においては、左右方向に並んだ側壁２３０ｂ及び側壁２３０ｃの壁厚が、後方から前方に向けて徐々に薄くなっている。そして、側壁２３０ｂ及び側壁２３０ｃを、互いの内面が平行となるように配置することで、互いの外面が前方に向かうにつれて徐々に近づく。遊技者は、前方に向けて壁厚が徐々に薄くなった側壁２３０ｂ及び側壁２３０ｃにより幅が規定された第１始動入賞口２４０と、その直上に平行に植設された第１障害釘２１１及び第２障害釘２１２とを同時に視認し、対比することができる。これにより、普通入賞球装置２３０の上方に、互いに平行に植設された第１障害釘２１１及び第２障害釘２１２が、前方に向かって広がっているように見せることができる。これにより、第１障害釘２１１と第２障害釘２１２との間に遊技球を通過させやすい、遊技球を第１始動入賞口２４０に進入させやすい遊技機であると遊技者に感じさせることが可能となる。
【００７４】
また、普通入賞球装置２３０の底壁２３０ａは、後方に向けて下方に傾斜している。これにより、第１始動入賞口２４０に進入し、底壁２３０ａに受け止められた遊技球を、遊技盤２の後方までスムーズに流下させることができる。これにより、第１始動入賞口２４０近傍での球詰まりを抑制することができる。
【００７５】
また、普通入賞球装置２３０には、底壁２３０ａの内面と、前壁２３０ｄの内面とをなだらかに接続する曲面２３１ａを有するリブ２３１が形成されている。これにより、第１始動入賞口２４０に進入した遊技球は、リブ２３１の曲面２３１ａを転がり、遊技盤２の後方に向かってスムーズに流下する。これにより、第１始動入賞口２４０近傍での球詰まりを抑制することができる。
【００７６】
また、普通入賞球装置２３０の前壁２３０ｄを、遊技盤２と平行となるように形成しているため、第１障害釘２１１と第２障害釘２１２との隙間を通過した遊技球を、スムーズに第１始動入賞口２４０に進入させることができる。
【００７７】
なお、普通入賞球装置２３０においては、側壁２３０ｂ及び側壁２３０ｃを平行四辺形状として、普通入賞球装置２３０自体が後方に向けて下方に傾斜しているかのように遊技盤２に取り付けられていた。しかしながら、普通入賞球装置２３０の底壁２３０ａのみを下方に傾斜させることによっても、底壁２３０ａに受け止められた遊技球を、遊技盤２の後方に向けてスムーズに流下させることができる。
【００７８】
また、前壁２３０ｄと底壁２３０ａとに接続されたリブ２３１は曲面２３１ａを有すると説明したが、この部分を平坦面としても、第１始動入賞口２４０に進入した遊技球を、遊技盤２の後方へとスムーズに流下させることができる。
【００７９】
また、図５は、本発明の第３実施の形態に係る遊技機に設けられた普通入賞球装置及びその近傍に着目した図であり、（ａ）は正面図、（ｂ）は（ａ）中の矢印Ｂからみた図、（ｃ）は（ａ）中の矢印Ｃからみた図である。なお、図５においては、図３、４に示す構成と同様の構成については、同一の符号を付すものとし、以下ではこれらの説明は適宜省略するものとする。
【００８０】
普通入賞球装置２５０は、取付板を介さずに遊技盤２に直接取り付けられている。普通入賞球装置２５０は、例えば合成樹脂製で、底壁２５０ａと、側壁２５０ｂ及び側壁２５０ｃと、前壁２５０ｄと、を有している。図５（ｂ）に示すように、第１始動入賞口２６０は、対の側壁２５０ｂ及び側壁２５０ｃと、前壁２５０ｄと、遊技盤２と、で区画された、前後方向に長さを有する上方を向いた開口である。
【００８１】
側壁２５０ｂ及び側壁２５０ｃは、図３に示す側壁２００ｂ及び２００ｃと同様、左右方向に並んで、後方から前方に向けて徐々に互いの間隔が狭くなるように配置されている。そのため、普通入賞球装置２５０に形成された第１始動入賞口２６０は、後方から前方に向けて幅が狭くなっている。
【００８２】
前壁２５０ｄは、図５（ａ）に示すように、下辺が曲線状に形成された平板から構成され、普通入賞球装置２５０の前部を構成している。
【００８３】
底壁２５０ａは、普通入賞球装置２５０の下部を構成し、第１始動入賞口２６０に進入した遊技球を下方から受け止める。底壁２５０ａは、図５（ａ）に示すように、前方からみると下方に膨らんだ湾曲した形状に形成されている。一方、底壁２５０ａは、図５（ｃ）に示すように、側方からみると平坦な形状に形成されている。
【００８４】
普通入賞球装置２５０の上方には、遊技盤２に植設された第１障害釘２１３及び第２障害釘２１４が配置されている。図５（ｂ）に示すように、第１障害釘２１３は、取付位置Ｐ１において、遊技盤２に植設されている。また、第２障害釘２１４は、取付位置Ｐ２において、遊技盤２に植設されている。第１障害釘２１３及び第２障害釘２１４は、前方に向けて、互いの間隔が広がる「ハ」の字を形成するように遊技盤２に植設されている。
【００８５】
図５（ｂ）に示すように、側壁２５０ｂの遊技盤２に対する取付位置Ｐ３は、第１障害釘２１３の取付位置Ｐ１よりも左方に位置し、側壁２５０ｃの遊技盤２に対する取付位置Ｐ４は、第２障害釘２１４の取付位置Ｐ２よりも右方に位置している。すなわち、側壁２５０ｂ及び側壁２５０ｃが並んだ方向（左右方向）において、第１障害釘２１３及び第２障害釘２１４の取付位置Ｐ１、Ｐ２は、側壁２５０ｂ及び側壁２５０ｃの取付位置Ｐ３、Ｐ４の間に位置している。これにより、図５（ｂ）に示すように、普通入賞球装置２５０を上方から見た場合、第１障害釘２１３及び第２障害釘２１４は、普通入賞球装置２５０に形成された第１始動入賞口２６０の一部を覆い、遊技球の第１始動入賞口２６０への進入が阻害されやすくなる。そこで、遊技球の第１始動入賞口２６０への進入のし易さを一定以上確保するため、第１障害釘２１３及び第２障害釘２１４は、互いの間隔が前方に向かうにつれて広くなるように遊技盤２に植設されている。
【００８６】
以上説明したように、本発明の第３実施形態に係る遊技機においては、第１障害釘２１３及び第２障害釘２１４が前方に向かうにつれて広がっているため、第１障害釘２１３と第２障害釘２１４との間に遊技球を通過させやすい、第１始動入賞口２６０に遊技球を進入させやすい遊技機であると遊技者に感じさせることが可能となる。
【００８７】
また、普通入賞球装置２５０の側壁２５０ｂ及び側壁２５０ｃは、左右方向に並んで、後方から前方に向けて徐々に互いの間隔が狭くなるように配置されている。そのため、普通入賞球装置２５０に形成された第１始動入賞口２６０は、後方から前方に向けて幅が狭くなっている。遊技者は、前方に向けて幅が狭くなった第１始動入賞口２６０と、その直上に植設された第１障害釘２１３及び第２障害釘２１４とを同時に視認し、対比することができる。これにより、普通入賞球装置２５０の上方に植設された第１障害釘２１３及び第２障害釘２１４を、前方に向かうにつれて実際の広がりよりもさらに広がっているかのように見せることができる。これにより、第１障害釘２１３と第２障害釘２１４との間に遊技球を通過させやすい、第１始動入賞口２６０に遊技球を進入させやすい遊技機であると遊技者に感じさせることが可能となる。
【００８８】
また、第１障害釘２１３及び第２障害釘２１４の取付位置Ｐ１、Ｐ２を、側壁２５０ｂ及び側壁２５０ｃの取付位置Ｐ３、Ｐ４の間に位置させている。この時、遊技球の第１始動入賞口２６０への進入のし易さを一定以上確保するためには、第１障害釘２１３及び第２障害釘２１４を、前方に向かうにつれて互いの間隔が広くなるように配置する必要がある。すなわち、遊技盤２における第１障害釘２１３及び第２障害釘２１４の取付位置の間を狭くすることで、第１障害釘２１３と第２障害釘２１４とを、前方に向かうにつれて互いの間隔を広げて配置しようとする動機づけとすることができる。
【００８９】
また、普通入賞球装置２５０の底壁２５０ａを、前方からみて下方に膨らんだ湾曲した形状に形成している。これにより、第１始動入賞口２６０に進入した遊技球を底壁２５０ａが受け止める際、より広い面積で遊技球と接触させることができる。これにより、遊技球が衝突することによる底壁２５０ａの損傷を抑制することができる。
【００９０】
なお、普通入賞球装置２５０の側壁２５０ｂ及び側壁２５０ｃを、後方から前方に向けて徐々に互いの間隔が狭くなるように配置していると説明したが、例えば、側壁２５０ｂ及び側壁２５０ｃを平行になるように配置しても、同様の効果を奏する。
【００９１】
また、図６は、本発明の第４実施の形態に係る遊技機に設けられた普通入賞球装置及びその近傍に着目した図であり、（ａ）は正面図、（ｂ）は（ａ）中の矢印Ｂからみた図である。図１に示すパチンコ遊技機１においては、普通入賞球装置２００及び普通可変入賞球装置３００が、それぞれ別々に遊技盤２に取り付けられており、上述した実施の形態に係る遊技機においても、単体で設けられた普通入賞球装置の構成について説明した。一方、本実施の形態に係る遊技機に設けられた普通入賞球装置２７０は、普通可変入賞球装置３００と一体で形成されており、取付板２１５を介して遊技盤２に取り付けられている。
【００９２】
普通入賞球装置２７０は、底壁２７０ａと、底壁２７０ａから上方に立設した対の側壁２７０ｂ及び側壁２７０ｃと、底壁２７０ａから上方に立設して側壁２７０ｂと側壁２７０ｃとを接続する前壁２７０ｄと、を有している。前壁２７０ｄは、下方に延設されており、普通可変入賞球装置３００の前部も構成する。側壁２７０ｂ及び側壁２７０ｃは、前方に向かうにつれて間隔が狭くなるように配置されており、これにより第１始動入賞口２８０の幅は、前方に向かうにつれて狭くなっている。これにより、上述の実施形態に係る遊技機同様、第１障害釘２１１と第２障害釘２１２との間に遊技球を通過させやすい、第１始動入賞口２８０に遊技球を進入させやすい遊技機であると遊技者に感じさせることが可能となる。
【００９３】
普通可変入賞球装置３００は、左右にそれぞれ遊技球が進入可能な第２始動入賞口３０１ａ、３０１ｂが形成されているとともに、対の可動片３０３、３０４が回動可能に取り付けられている。可動片３０３、３０４は、傾倒状態の時（図６（ａ）の実線）に、遊技球を受け止めて第２始動入賞口３０１ａ、３０１ｂへと導く。一方、可動片３０３、３０４は、起立状態の時（図６（ｂ）の二点鎖線）に、遊技球の第２始動入賞口３０１ａ、３０１ｂへの進入を防止する。
【００９４】
以上説明したように、本発明の第４実施形態に係る遊技機においては、遊技球が進入しやすいと感じさせることができる第１始動入賞口２８０が形成された普通入賞球装置２７０と、第２始動入賞口３０１ａ、３０１ｂが形成された普通可変入賞球装置３００とを一体的に形成している。これにより、複数の入賞口を効率良く遊技盤２に配置することができる。
【００９５】
また、普通入賞球装置２７０及び普通可変入賞球装置３００を、共通の取付板２１５を介して遊技盤２に取り付けている。これにより、両者を一体的に取り扱うことが可能であり、破損等の不具合が生じたとしても、容易に交換することができる。そのため、遊技機のメンテナンスを適切に実行することが容易となる。
【００９６】
また、図７は、本発明の第５実施の形態に係る遊技機に設けられた普通入賞球装置及びその近傍に着目した図であり、（ａ）は正面図、（ｂ）は（ａ）中の矢印Ｂからみた図である。上述した実施の形態に係る遊技機においては、普通入賞球装置の上方に、第１障害釘と第２障害釘とが植設されていた。本実施形態に係る遊技機においては、普通入賞球装置２９０の近傍に、第１障害釘及び第２障害釘のかわりに、回転軸３１０ａ、３１１ａを中心に回転する第１可動体３１０及び第２可動体３１１が取り付けられている。
【００９７】
普通入賞球装置２９０は、底壁２９０ａと、底壁２９０ａから上方に立設した対の側壁２９０ｂ及び側壁２９０ｃと、底壁２９０ａから上方に立設して側壁２９０ｂと側壁２９０ｃとを接続する前壁２９０ｄと、を有している。普通入賞球装置２９０には、対の側壁２９０ｂ及び側壁２９０ｃと、前壁２９０ｄと、遊技盤２とにより区画された第１始動入賞口２９５が形成されている。側壁２９０ｂ及び側壁２９０ｃは、前方に向かうにつれて間隔が狭くなるように配置されており、これにより第１始動入賞口２９５の幅は、前方に向かうにつれて狭くなっている。
【００９８】
遊技盤２には、第１可動体３１０及び第２可動体３２０を回転可能に取り付けるための取付板が形成されている。対の取付板３１２ａ、３１２ｂは、普通入賞球装置２９０を挟み込むように上下方向に並んで配置されている。また、その右方には、対の取付板３１３ａ、３１３ｂが、普通入賞球装置２９０を挟み込むように上下方向に並んで配置されている。
【００９９】
第１可動体３１０及び第２可動体３１１は、例えば合成樹脂製で、中空の円柱体を、高さ方向に沿って四分の一等分に切断した形状を有している。第１可動体３１０は、対の取付板３１２ａ、３１２ｂに、回転軸３１０ａを中心に回転可能に取り付けられている。また、第２可動体３１１は、対の取付板３１３ａ、３１３ｂに、回転軸３１１ａを中心に回転可能に取り付けられている。遊技盤２には、第１可動体３１０及び第２可動体３１１を回転させるモータ等の駆動手段（不図示）が取り付けられている。これにより、第１可動体３１０及び第２可動体３１１は、図７（ｂ）の実線で示した通常状態と、二点鎖線で示した開放状態との間で変化可能である。第１可動体３１０及び第２可動体３１１が通常状態から開放状態に移行する際、遊技盤２の当接面２ａに第１可動体３１０が、当接面２ｂに第２可動体３１１が当接し、それ以上の回転が制止される。
【０１００】
第１可動体３１０及び第２可動体３１１が通常状態にある場合、第１始動入賞口２９５に進入するための隙間を形成する第１可動体３１０の端辺３１０ｂ及び第２可動体３１１の端辺３１１ｂは互いに平行な状態にある。一方、第１可動体３１０及び第２可動体３１１が開放状態にある場合、第１可動体３１０の端辺３１０ｂと第２可動体３１１の端辺３１１ｂとの隙間は、前方に向かうにつれて大きくなる。これにより、第１可動体３１０及び第２可動体３１１が通常状態にある場合よりも、開放状態にある場合の方が、遊技球を第１始動入賞口２９５に進入させやすい。なお、第１可動体３１０及び第２可動体３１１は、別途設けられた図示しない通過ゲートを遊技球が通過したことにより開始される可変表示が、所定の表示結果となったことを条件に、通常状態から開放状態に移行する。
【０１０１】
以上説明したように、本発明の第５実施形態に係る遊技機においては、普通入賞球装置２９０の側壁２９０ｂ及び側壁２９０ｃを、後方から前方に向けて徐々に互いの間隔が狭くなるように配置されている。そのため、普通入賞球装置２９０に形成された第１始動入賞口２９５は、後方から前方に向けて幅が狭くなっている。遊技者は、前方に向けて幅が狭くなった第１始動入賞口２９５と、その近傍に設けられた第１可動体３１０及び第２可動体３１１とを同時に視認し、対比することができる。これにより、第１可動体３１０の端辺３１０ｂと第２可動体３１１の端辺３１１ｂとの間隔が前方に向かうにつれ広がっているように見せることができる。このように、普通入賞球装置の近傍に配される障害部としては、障害釘に限定されず、第１可動体３１０及び第２可動体３２０のような障害部であっても、第１始動入賞口２９５に遊技球を進入させやすいと感じさせることができる。
【０１０２】
また、障害部は、上述の障害釘や、合成樹脂製の可動体に限定されず、例えば、ねじ、木製の棒、風車、振り分け装置、クルーン等を採用したとしても、同様に、始動入賞口に遊技球を進入させやすい遊技機であると感じさせることが可能である。
【０１０３】
また、図８は、本発明の第６実施の形態に係る遊技機に設けられた普通入賞球装置及びその近傍に着目した図であり、（ａ）は正面図、（ｂ）は（ａ）中の矢印Ｂからみた図である。上述した実施の形態に係る遊技機においては、普通入賞球装置は遊技盤２に対して移動することなく、取付位置は不変であった。本実施の形態に係る遊技機においては、普通入賞球装置３２０が遊技盤２に対して移動可能に取り付けられている点が、上記実施形態に係る遊技機とは異なっている。
【０１０４】
普通入賞球装置３２０は、底壁３２０ａと、底壁３２０ａから上方に立設した対の側壁３２０ｂ及び側壁３２０ｃと、底壁３２０ａから上方に立設して側壁３２０ｂと側壁３２０ｃとを接続する前壁３２０ｄと、を有している。普通入賞球装置３２０には、対の側壁３２０ｂ及び側壁３２０ｃと、前壁３２０ｄと、遊技盤２とにより区画された第１始動入賞口３２５が形成されている。側壁３２０ｂ及び側壁３２０ｃは、前方に向かうにつれて間隔が狭くなるように配置されており、これにより第１始動入賞口３２５の幅は、後方から前方に向かうにつれて狭くなっている。
【０１０５】
遊技盤２には、左右方向に長軸が設定された、長孔状の開口である移動制限孔２ｃが形成されている。この移動制限溝２ｃには、普通入賞球装置３２０の後面から突出した二つの突起部３２０ｅが挿通されている。これにより、普通入賞球装置３２０は、移動制限孔２ｃの長軸方向である左右方向のみに移動することができる。なお、遊技盤２には、普通入賞球装置３２０を左右方向に沿って移動させる、図示しない駆動手段が設けられている。これにより、普通入賞球装置３２０は、移動可能な範囲内で最も左側の位置（二点鎖線で示す普通入賞球装置３２６の位置）と最も右側の位置（二点鎖線で示す普通入賞球装置３２７の位置）との間を移動する。
【０１０６】
第１障害釘２１１と第２障害釘２１２との間を通過した遊技球は、その真下に位置する普通入賞球装置３２０（実線で示す）に形成された第１始動入賞口３２５に進入することができる。この普通入賞球装置３２０は、移動範囲の中で中央に位置している。一方、普通入賞球装置３２０が中央にある状態から左右に移動していくと、第１障害釘２１１と第２障害釘２１２の隙間と、第１始動入賞口３２５との間にずれが生じていく。そのため、遊技球が第１障害釘２１１と第２障害釘２１２との隙間を通過したとしても、第１始動入賞口３２５に進入しづらくなる。このように、普通入賞球装置３２０を第１障害釘２１１及び第２障害釘２１２の下方を左右に移動させることにより、遊技球が第１始動入賞口３２５に進入する可能性を変化させることができる。
【０１０７】
以上説明したように、本発明の第６実施形態に係る遊技機においては、普通入賞球装置３２０を左右に移動させることにより、第１障害釘２１１と第２障害釘２１２との間を通過した遊技球の第１始動入賞口３２５への進入の可能性を変化させることができる。これにより、遊技の興趣を高めることができる。
【０１０８】
普通入賞球装置３２０の側壁３２０ｂ及び側壁３２０ｃを、後方から前方に向けて徐々に互いの間隔が狭くなるように配置されている。そのため、第１始動入賞口３２５は、後方から前方に向けて幅が狭くなっている。遊技者は、前方に向けて幅が狭くなった第１始動入賞口３２５と、その近傍に平行に植設された第１障害釘２１１及び第２障害釘２１２とを同時に視認することができる。そのため、第１障害釘２１１と第２障害釘２１２との隙間と、前方に向けて幅が狭くなった第１始動入賞口３２５とを、同時に視認するだけで容易に対比することができる。このような対比は、第１障害釘２１１と第２障害釘２１２との隙間と、第１始動入賞口３２５とが一致しているときには、特に容易に行うことができる。これにより、第１障害釘２１１と第２障害釘２１２との間隔を、前方に向かうにつれ広がっているように見せることができる。これにより、移動可能な普通入賞球装置３２０に形成された第１始動入賞口３２５に遊技球を進入させやすいと感じさせることができる。
【０１０９】
また、遊技球の進入口の一例である第１始動入賞口が、前方に向けて幅が狭くなっていく態様としては、直線状の側壁をハの字状に配置することで実現したが、例えば、階段状に形成された側壁やギザギザ状に形成された側壁を、前方に向かうにつれて徐々に近づけるようにしてもよい。
【０１１０】
また、図４に示す側壁２３０ｂ及び側壁２３０ｃのように壁厚の変化も直線的に変化させてもよいし、階段状に徐々に変化させてもよいし、ギザギザ状に徐々に変化させてもよい。
【０１１１】
また、上述した実施の形態に係る遊技機においては、遊技球を進入させやすい感じさせることができる進入口として、普通入賞球装置に形成された第１始動入賞口を例に説明してきた。しかしながら、他のものであってもよく、例えば、一般入賞口、大入賞口、通過ゲート、ワープ口、アウト口、その他特定領域等にも同様に採用することができる。
【０１１２】
また、上記実施の形態では、普通入賞球装置周辺の種々の構成について説明したが、これらの構成を適宜組み合わせてもよい。例えば、図７に示す可動する第１可動体３１０及び第２可動体３２０と、図８に示す移動する普通入賞球装置３２０とを組み合わせてもよい。
【０１１３】
また、上記実施の形態では、遊技機の一例としてパチンコ遊技機１を例示しているが、本発明はこれに限定されるものではなく、例えば、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。
【符号の説明】
【０１１４】
１      パチンコ遊技機
２      遊技盤
５      画像表示装置
２００      普通入賞球装置
２００ａ    底壁
２００ｂ    側壁
２００ｃ    側壁
２００ｄ    前壁
２１０      取付板
２１１      第１障害釘
２１２      第２障害釘
３００      普通可変入賞球装置
【図１】
2018139836.tif 000003
【図２】
2018139836.tif 000004
【図３】
2018139836.tif 000005
【図４】
2018139836.tif 000006
【図５】
2018139836.tif 000007
【図６】
2018139836.tif 000008
【図７】
2018139836.tif 000009
【図８】
2018139836.tif 000010